(57)【要約】【課題】スリッタの巻取装置において、ウエブ材料のスリット条数および巻取条数を減少させるとき、不要のトラッキングアーム３，４ａ，４ｂをガイドレール６から取り外す必要がなく、ガイドレール６の延長部分に退避させる必要もないようにする。【解決手段】少なくともいくつかのトラッキングアーム４ａ，４ｂがその長さ方向に２分割され、先端側分割アーム４ａが基端側分割アーム４ｂに旋回可能に連結され、先端側分割アーム４ａにトラッキングローラ２が支持される。【選択図】図１
2008239293.tif 000002
【特許請求の範囲】
【請求項１】
ウエブ材料のスリット後、そのウエブ材料を複数の巻取ロールに巻き取るにあたって、複数のトラッキングローラをその軸方向に間隔を置いて配置し、前記トラッキングローラの軸方向両側にトラッキングアームを配置し、前記各トラッキングローラを前記各トラッキングアームに支持し、前記各巻取ロールに接触させ、前記トラッキングローラと巻取ロール間に接圧を生じさせるようにしたスリッタの巻取装置において、少なくともいくつかのトラッキングアームをその長さ方向に２分割し、先端側分割アームを基端側分割アームに旋回または分離可能に連結し、前記先端側分割アームに前記トラッキングローラを支持したことを特徴とするスリッタの巻取装置。
【発明の詳細な説明】
【技術分野】
【０００１】
この発明は、紙、プラスチックフィルムなどのウエブ材料のスリット後、そのウエブ材料を複数の巻取ロールに巻き取るスリッタの巻取装置に関するものである。
【背景技術】
【０００２】
スリッタの巻取装置では、ウエブ材料のスリット後、そのウエブ材料が複数の巻取ロールに巻き取られる。さらに、個別トラッキングローラ方式のものでは、複数のトラッキングローラが軸方向に間隔を置いて配置され、トラッキングローラの軸方向両側にトラッキングアームが配置され、各トラッキングローラが各トラッキングアームに支持され、各巻取ロールに接触し、トラッキングローラと巻取ロール間に接圧が生じる。たとえば、特開昭６４−６４９４８号公報（特許文献１）に記載されているものがそれである。
【０００３】
さらに、普通、各トラッキングアームがガイドレールに支持され、ウエブ材料のスリット幅を変更するとき、各トラッキングローラを各トラッキングアームから取り外し、各トラッキングアームをガイドレールに沿って移動させ、その間隔をスリット幅に対応させることができる。さらに、各トラッキングローラを他のトラッキングローラと交換し、その長さをスリット幅に対応させ、交換したトラッキングローラを各トラッキングアームに支持することができる。
【０００４】
ところで、この場合、ウエブ材料のスリット条数および巻取条数を減少させるとき、それにともない、トラッキングローラの本数を減少させる必要がある。このため、不要のトラッキングアームをガイドレールから取り外す必要があり、面倒であるという問題があった。ガイドレールに延長部分を設け、不要のトラッキングアームをガイドレールの延長部分に退避させることも考えられるが、延長部分によって装置の幅が拡大され、コストが増大する。設置スペース上の問題もある。
【０００５】
したがって、この発明は、スリッタの巻取装置において、ウエブ材料のスリット条数および巻取条数を減少させるとき、不要のトラッキングアームをガイドレールから取り外す必要がなく、ガイドレールの延長部分に退避させる必要もないようにすることを目的としてなされたものである。
【特許文献１】特開昭６４−６４９４８号公報
【発明の開示】
【０００６】
この発明によれば、ウエブ材料のスリット後、そのウエブ材料を複数の巻取ロールに巻き取るにあたって、複数のトラッキングローラがその軸方向に間隔を置いて配置され、トラッキングローラの軸方向両側にトラッキングアームが配置され、各トラッキングローラが各トラッキングアームに支持され、各巻取ロールに接触し、トラッキングローラと巻取ロール間に接圧が生じる。さらに、この発明によれば、少なくともいくつかのトラッキングアームがその長さ方向に２分割され、先端側分割アームが基端側分割アームに旋回または分離可能に連結され、先端側分割アームにトラッキングローラが支持される。
【発明を実施するための最良の形態】
【０００７】
以下、この発明の実施例を説明する。
【０００８】
図１はこの発明にかかる巻取装置を示す。この装置はスリッタの巻取装置であり、ウエブ材料のスリット後、図２に示すように、そのウエブ材料が複数の巻取ロール１に巻き取られることは特開昭６４−６４９４８号公報の装置と同様である。複数のトラッキングローラ２がその軸方向に間隔を置いて配置され、トラッキングローラ２の軸方向両側にトラッキングアーム３，４ａ，４ｂが配置され、各トラッキングローラ２が各トラッキングアーム３，４ａ，４ｂに支持されることも同公報のものと同様である。
【０００９】
さらに、この装置では、複数のキャリジ５がガイドレール６に取り付けられ、各トラッキングアーム３，４ａ，４ｂが各キャリジ５に支持されている。したがって、各トラッキングアーム３，４ａ，４ｂがガイドレール６に支持されているものである。トラッキングアーム３，４ａ，４ｂはキャリジ５のピン７に取り付けられており、ピン７のまわりを揺動可能である。さらに、各キャリジ５にシリンダ８が設けられ、シリンダ８はトラッキングアーム３，４ａ，４ｂに連結されている。したがって、ピン７のまわりにおいて、シリンダ８によってトラッキングアーム３，４ａ，４ｂが押され、揺動し、各トラッキングローラ２が各巻取ロール１に接触し、トラッキングローラ２と巻取ロール１間に接圧が生じる。そして、その状態でウエブ材料が巻き取られるものである。
【００１０】
さらに、トラッキングアーム３，４ａ，４ｂおよびキャリジ５はガイドレール６に沿って移動可能である。したがって、ウエブ材料のスリット幅を変更するとき、各トラッキングローラ２を各トラッキングアーム３，４ａ，４ｂから取り外し、各トラッキングアーム３，４ａ，４ｂをガイドレール６に沿って移動させることができ、その間隔をスリット幅に対応させることができる。さらに、各トラッキングローラ２を他のトラッキングローラと交換し、その長さをスリット幅に対応させ、交換したトラッキングローラを各トラッキングアーム３，４ａ，４ｂに支持することができる。その後、各トラッキングローラ２を各巻取ロール１に接触させ、トラッキングローラ２と巻取ロール１間に接圧を生じさせることができる。
【００１１】
さらに、この装置において、ウエブ材料のスリット条数および巻取条数を減少させるとき、それにともない、トラッキングローラ２の本数を減少させる必要がある。このため、これまで、不要のトラッキングアーム３，４ａ，４ｂをガイドレール６から取り外す必要があり、面倒であるという問題があったことは前述したとおりである。
【００１２】
たとえば、この実施例では、２本のトラッキングローラ２がその軸方向に間隔を置いて配置され、トラッキングローラ２の軸方向両側にトラッキングアーム３，４ａ，４ｂが配置されている。そして、各トラッキングローラ２が各トラッキングアーム３，４ａ，４ｂに支持され、ウエブ材料が２本の巻取ロール１に巻き取られ、各トラッキングローラ２が各巻取ロール１に接触する。したがって、計４本のトラッキングアーム３，４ａ，４ｂがトラッキングローラ２の軸方向に間隔を置いて配置され、２本のトラッキングアーム３が外側に位置し、２本のトラッキングアーム４ａ，４ｂが内側に位置するものであるが、図４に示すように、ウエブ材料のスリット条数および巻取条数を減少させ、ウエブ材料を１本の巻取ロール１に巻き取り、１本のトラッキングローラ２を１本の巻取ロール１に接触させることが要求されることがある。この場合、内側のトラッキングアーム４ａ，４ｂをガイドレール６から取り外し、トラッキングローラ２を外側のトラッキングアーム３に支持する必要があったものである。
【００１３】
ガイドレール６に延長部分を設け、不要のトラッキングアーム３，４ａ，４ｂをガイドレール６に沿って移動させ、その延長部分に退避させることも考えられるが、延長部分によって装置の幅が拡大され、コストが増大することも前述したとおりである。設置スペース上の問題もあることも前述したとおりである。
【００１４】
したがって、この装置では、少なくともいくつかのトラッキングアームがその長さ方向に２分割され、先端側分割アームが基端側分割アームに旋回可能に連結され、先端側分割アームにトラッキングローラ２が支持される。この実施例では、内側のトラッキングアーム４ａ，４ｂがその長さ方向に２分割され、先端側分割アーム４ａが基端側分割アーム４ｂに旋回可能に連結され、先端側分割アーム４ａにトラッキングローラ２が支持されている。
【００１５】
さらに、この実施例では、図３に示すように、各分割アーム４ａ，４ｂの孔にピン９が挿入され、ボルト１０がピン９にねじ合わされ、ピン９およびボルト１０によって各分割アーム４ａ，４ｂが連結されている。さらに、ピン９の半径方向両側にボルト１１が設けられ、ボルト１１によって各分割アーム４ａ，４ｂが固定されている。したがって、ボルト１１を各分割アーム４ａ，４ｂから取り外し、ボルト１０を適宜緩めると、先端側分割アーム４ａをピン９のまわりに旋回させることができる。さらに、先端側分割アーム４ａを１８０°旋回させ、基端側分割アーム４ｂに重ね合わせ、ボルト１１によって各分割アーム４ａ，４ｂを固定することができる。
【００１６】
したがって、ウエブ材料のスリット条数および巻取条数を減少させるとき、それにともない、トラッキングローラ２の本数を減少させる必要があるが、この装置の場合、不要のトラッキングアームをガイドレール６から取り外す必要はない。先端側分割アーム４ａを適宜旋回させ、適宜固定すればよい。これによって不要のトラッキングアーム４ａ，４ｂが短縮される。したがって、その後、トラッキングローラ２を他のトラッキングアーム３に支持すればよく、その作業は容易である。不要のトラッキングアームをガイドレール６の延長部分に退避させる必要もなく、コストは増大せず、設置スペースの問題もない。
【００１７】
さらに、この実施例では、内側のトラッキングアーム４ａ，４ｂにおいて、先端側分割アーム４ａが１８０°旋回され、基端側分割アーム４ｂに重ね合わされ、ボルト１１によって各分割アーム４ａ，４ｂが固定される。その後、１本のトラッキングローラ２が外側のトラッキングアーム３に支持され、ウエブ材料が１本の巻取ロール１に巻き取られ、１本のトラッキングローラ２が１本の巻取ロール１に接触する。したがって、トラッキングロータ２と巻取ロール１間に接圧を生じさせ、その状態でウエブ材料を巻き取ることができる。
【００１８】
図５の実施例でも、複数のトラッキングローラ２がその軸方向に間隔を置いて配置されていることは図１の実施例と同様である。さらに、トラッキングローラ２の両側にトラッキングアーム４ａ，４ｂが配置されている。たとえば、２本のトラッキングローラ２がその軸方向に間隔を置いて配置され、トラッキングローラ２の両側にトラッキングアーム４ａ，４ｂが配置される。そして、各トラッキングローラ２が各トラッキングアーム４ａ，４ｂに支持される。
【００１９】
複数のキャリジ５がガイドレールに取り付けられ、各トラッキングアーム４ａ，４ｂが各キャリジ５に支持されていることも図１の実施例と同様である。トラッキングアーム４ａ，４ｂはキャリジ５のピン７に取り付けられ、ピン７のまわりを揺動可能である。各キャリジ５にシリンダ８が設けられ、シリンダ８はトラッキングアーム４ａ，４ｂに連結されていることも図１の装置と同様である。そして、ウエブ材料が２本の巻取ロールに巻き取られ、ピン７のまわりにおいて、シリンダ８によってトラッキングアーム４ａ，４ｂが押され、揺動し、各トラッキングローラ２が各巻取ロールに接触する。
【００２０】
さらに、図５の実施例では、少なくともいくつかのトラッキングアームがその長さ方向に２分割され、先端側分割アームが基端側分割アームに分離可能に連結され、先端側分割アームにトラッキングアーム２が支持される。たとえば、計４本のトラッキングアーム４ａ，４ｂのうち、内側のトラッキングアーム４ａ，４ｂが２分割され、外側のトラッキングアーム４ａ，４ｂも２分割される。そして、先端側分割アーム４ａが基端側分割アーム４ｂに分離可能に連結され、先端側分割アーム４ａにトラッキングローラ２が支持されている。
【００２１】
さらに、図５の実施例では、各分割アーム４ａ，４ｂにベアリングが設けられ、ベアリングにピン７がはめ合わされ、ナット１２がピン７にねじ合わされている。さらに、ノブ１３がピン７から間隔を置いて設けられ、ピン７、ナット１２およびノブ１３によって各分割アーム４ａ，４ｂが連結され、固定されている。
【００２２】
したがって、ウエブ材料のスリット条数および巻取条数を減少させるとき、不要のトラッキングアームをガイドレールから取り外す必要はない。たとえば、図６に示すように、内側のトラッキングアーム４ａ，４ｂにおいて、ノブ１３を各分割アーム４ａ，４ｂから取り外し、ナット１２をピン７から取り外すと、先端側分割アーム４ａを基端側分割アーム４ｂから分離させることができる。その後、図７に示すように、ナット１２をピン７にねじ合わせ、トラッキングローラ２を外側のトラッキングアーム４ａ，４ｂに支持し、巻取ロールに接触させることができる。不要のトラッキングアームをガイドレールの延長部分に退避させる必要もなく、コストは増大せず、設置スペースの問題もない。
【図面の簡単な説明】
【００２３】
【図１】この発明の実施例を示す正面図である。
【図２】図１の装置の側面図である。
【図３】図１の各分割アームの断面図である。
【図４】図１の先端側分割アームを旋回させた状態を示す正面図である。
【図５】他の実施例を示す正面図である。
【図６】図５の先端側分割アームを分離させる方法を示す正面図である。
【図７】図５の先端側分割アームを分離させた状態を示す正面図である。
【符号の説明】
【００２４】
１  巻取ロール
２  トラッキングローラ
３，４ａ，４ｂ  トラッキングアーム
７，９  ピン
１０，１１  ボルト
１２  ナット
１３  ノブ
【図１】
2008239293.tif 000003
【図２】
2008239293.tif 000004
【図３】
2008239293.tif 000005
【図４】
2008239293.tif 000006
【図５】
2008239293.tif 000007
【図６】
2008239293.tif 000008
【図７】
2008239293.tif 000009